(57)【特許請求の範囲】
【請求項１】
複数の操作部と、
音声の記録を行う記録部と、
機能に関する情報と共に、当該機能が割当てられている操作手段を示すガイドを表示部に表示するように制御する表示制御手段と、を有し、
前記表示制御手段は、第１の操作部および第２の操作部に同一の機能が割り当てられているときに、前記記録部での記録中でない場合には、前記機能に関する情報と共に、前記第２の操作部を示すガイドよりも前記第１の操作部を示すガイドを優先して表示するように制御し、前記記録部での記録中である場合には、前記機能に関する情報と共に、前記第１の操作部を示すガイドよりも前記第２の操作部を示すガイドを優先して表示するように制御する、ことを特徴とする表示制御装置。
【請求項２】
前記表示制御手段は、前記機能に関する情報に対応する位置に当該機能が割り当てられている操作部材を示すガイドを表示するように制御することを特徴とする請求項１に記載の表示制御装置。
【請求項３】
複数の操作部に同一の機能が割り当てられているときに、前記機能に関する情報に対して、前記機能が割り当てられている操作部手段を示すガイドを１つだけ表示するように制御することを特徴とする請求項１に記載の表示制御装置。
【請求項４】
前記表示制御手段は、複数の機能について前記複数の機能に関する情報と共に、前記複数の機能それぞれに割当てられている操作部を示すガイドとを表示するように制御することを特徴とする請求項１に記載の表示制御装置。
【請求項５】
前記第２の操作部は前記第１の操作部よりも、操作に応じて生じる音が小さいことを特徴とする請求項１に記載の表示制御装置。
【請求項６】
前記第１の操作部および前記第２の操作部はそれぞれ回転部材であり、回転操作に応じて各操作部に割り当てられた機能の設定を変更することを特徴とする請求項１に記載の表示制御装置。
【請求項７】
前記表示制御手段は、機能に関する情報として、前記機能に現在設定されている値を表示することを特徴とする請求項６に記載の表示制御装置。
【請求項８】
前記第２の操作部に割り当てる機能を切り替える切替手段をさらに有することを特徴とする請求項１に記載の表示制御装置。
【請求項９】
前記第１の操作部はユーザがシャッターボタンを操作する手の指で操作可能であり、前記第２の操作部はユーザがシャッターボタンを操作する手では操作できないころを特徴とする請求項１に記載の表示制御装置。
【請求項１０】
第１の操作部および第２の操作部と、音声の記録を行う記録部と、を有する表示制御装置の制御方法であって、
機能に関する情報と共に、当該機能が割当てられている操作部を示すガイドを表示部に表示するように制御する表示制御工程を有し、
前記表示制御工程では、第１の操作部および第２の操作部に同一の機能が割り当てられているときに、
前記記録部での記録中でない場合には、前記機能に関する情報と共に前記第１の操作部を示すガイドを表示するように制御し、
前記記録部での記録中である場合には、前記機能に関する情報と共に前記第２の操作部を示すガイドを表示し、前記第１の操作部に前記機能が割当てられていても前記第１の操作部を示すガイドを表示しないように制御する
ことを特徴とする表示制御装置の制御方法。
【請求項１１】
コンピュータを、請求項１乃至９のいずれか１項に記載された表示制御装置の各手段として機能させるためのプログラム。
【発明の詳細な説明】
【技術分野】
【０００１】
本発明は、撮像装置の表示部において項目の設定操作を行う操作部材の表示方法に関する。
【背景技術】
【０００２】
撮像装置においてシャッター速度や絞り値等の値を変更する際に、複数の操作部材を使用することがある。また、このような操作部材の中には操作に応じて機械的に音が発生したり、ユーザが操作感をより分かりやすいように操作に応じてあえて音がするようにしているものある。一方、動画の撮影中に回転部材等によって設定値を変更する場合には、操作による音も同時に録音されてしまう。特許文献１には、撮影する動画に、操作部材への操作音が入らないように動画の撮影中は操作を行っても音のしないタッチパネルで設定の変更を受け付けることが記載されている。
【先行技術文献】
【特許文献】
【０００３】
【特許文献１】特開２００７−２１４７７４号公報
【発明の概要】
【発明が解決しようとする課題】
【０００４】
特許文献１に記載の方法では、静音部材と音のする操作部材との双方で設定の変更が可能な場合に、静音部材と音のする操作部材のどちらの部材が設定変更の操作に適しているのか分からない。
【０００５】
本発明は、上記の課題に鑑み、動画の撮影中かどうかに応じて、ユーザが設定変更をするのに適した部材が分かるようにした表示制御装置の提供を目的とする。
【課題を解決するための手段】
【０００６】
上記目的を達成するために、本発明の表示制御装置は、
複数の操作部と、音声の記録を行う記録部と、機能に関する情報と共に、当該機能が割当てられている操作手段を示すガイドを表示部に表示するように制御する表示制御手段と、を有し、表示制御手段は、第１の操作部および第２の操作部に同一の機能が割り当てられているときに、記録部での記録中でない場合には、機能に関する情報と共に、第２の操作部を示すガイドよりも第１の操作部を示すガイドを優先して表示するように制御し、記録部での記録中である場合には、機能に関する情報と共に、第１の操作部を示すガイドよりも第２の操作部を示すガイドを優先して表示するように制御する、ことを特徴とする。
【発明の効果】
【０００７】
本発明によれば、音声の記録中かどうかに応じて、ユーザが設定変更をするのに適した部材が分かるようにすることができる。
【図面の簡単な説明】
【０００８】
【図１】本発明の実施形態の構成を適用可能な装置の一例としてのデジタルカメラの外観図。
【図２】本発明の実施形態の構成を適用可能な装置の一例としてのデジタルカメラの構成例を示すブロック図。
【図３】本実施形態における動画モードの際の操作部材表示フロー。
【図４】本実施形態における動画モードの待機中の表示部の表示例。
【図５】本実施形態における動画モードの動画撮影中の表示部の表示例。
【図６】本実施形態における操作部材のアイコンの表示の優先度を示す図。
【発明を実施するための形態】
【０００９】
以下、図面を参照して本発明の好適な実施形態を説明する。
【００１０】
＜第１実施形態＞
図１は本発明の表示制御装置の一例としてのデジタルカメラ１００の外観図であり、（ａ）は表示部２８側から見た図、（ｂ）はレンズ１０３側から見た図である。
【００１１】
図１（ａ）について説明する。表示部２８は画像や各種情報を表示する表示部である。タッチパネル７０ａは表示部２８へのタッチ操作を検出可能な表示部２８に重畳するように設けられるタッチ検出部材である。シャッターボタン６１は撮影指示を行うための操作部である。モード切替スイッチ６０は各種モードを切り替えるための操作部である。コネクタ１１２は例えばＰＣやプリンタと接続するための接続ケーブル１１１とデジタルカメラ１００に接続するためのコネクタである。操作部７０はユーザからの各種操作を受け付ける各種スイッチ、ボタン、タッチパネル等の操作部材より成る操作部である。コントローラーホイール７３は操作部７０に含まれる回転操作可能な回転部材である。また、コントローラーホイール７３の内側には十字キー７６があり、十字キー７６には四方向の上キー７６ａ、下キー７６ｂ、右キー７６ｃ、左キー７６ｄがある。上キー７６ａは、ＩＳＯの値を変更する操作部材として電子ダイヤル７４を割当てる（または割当てをやめる）ようにする指示を行うＩＳＯボタンとしての機能がある。下キー７６ｂは、ＡＦ（オートフォーカス）に関する設定もしくは撮影枚数に関する設定を行うことのできるＡＦ・Ｄｒｉｖｅボタンとしての機能がある。このように、通常であれば下キー７６ｂは操作に応じて動画の撮影中に設定変更可能な項目が割当たっていないので、動画の撮影中に下キー７６ｂへの操作を行うと操作部材（後述するスムースリング７５）が割当たる機能（項目）の切り替えを行うことができる。動画の撮影中に下キー７６ｂを押下すると、スムースリング７５への回転操作に応じてＴｖ、Ａｖ、ＩＳＯ等に関する設定変更を行うことができるよう各機能に順にスムースリング７５を割り当てる。
【００１２】
電子ダイヤル７４は操作部７０に含まれる回転操作部材であり、この電子ダイヤル７４を回すことで、シャッター速度や絞りなどの設定値の変更（設定変更）等が行える。
【００１３】
電源スイッチ７２は、電源オン、電源オフを切り替えるための押しボタンである。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となり記録や再生が可能となる。蓋２０２は記録媒体スロット２０１の蓋である。図においては、蓋２０２を開けて記録媒体スロット２０１から記録媒体２００の一部を取り出して露出させた状態を示している。
【００１４】
図１（ｂ）について説明する。レンズ１０３は被写体を写すためのレンズ群であり、レンズ１０３の周りにはスムースリング７５が設けられている。スムースリング７５は回転操作が行われると、撮影モードや設定に応じて様々な機能の設定を変更することができる回転部材である。レンズ１０３の近くにはＭＦボタン７７が設けられており、ＭＦボタン７７を押下するとＭＦ（マニュアルフォーカス）とＡＦ（オートフォーカス）とを切り替え可能である。さらにＭＦの場合にはスムースリング７５への回転操作に応じてフォーカスの設定変更が可能なようになる。また、デジタルカメラ１００のレンズ１０３側の背面には、マイク１０４が設けられている録音部材であり、被写体の音声やデジタルカメラ１００周辺の音を取得することができる。
【００１５】
［操作部材の説明］
デジタルカメラ１００には電子ダイヤル７４、スムースリング７５、コントローラーホイール７３の回転部材が設けられており、それぞれ回転操作に応じて割り当てられた機能の設定値を変更可能である。以下にこれらの回転部材について説明する。
【００１６】
電子ダイヤル７４は、シャッターボタン６１の近くに設けられており、シャッターボタン６１に指をかけた状態から指を移動させ、すぐに設定変更ができる位置にある。また、ユーザに操作感を与えるために操作に応じた感触（クリック感）を与え、操作に応じて音が発生するようにされている。このため、操作に応じて機械的な振動が生じることがある。
【００１７】
コントローラーホイール７３は、表示部２８の横に設けられており、主に表示部２８を確認しながら設定変更操作を行う場合には、表示されている設定値や画像を確認しながら操作を行うことができる。
【００１８】
スムースリング７５は、レンズ１０３の鏡筒周りに設けられており、レンズ１０３への回転操作を行うような感覚で設定変更操作を行うことができる回転部材である。スムースリング７５は操作に応じて生じる音を小さくした静音部材であるため、動画の撮影中に項目の設定変更を行う際にスムースリング７５への操作で設定変更を行うと操作音が発生しにくいため、動画に操作音が含まれる可能性が低い。
【００１９】
図２は、本実施形態によるデジタルカメラ１００の構成例を示すブロック図である。
【００２０】
図２において、レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、レンズ１０３を含む撮像系を覆うことにより、レンズ１０３、シャッター１０１、撮像部２２を含む撮像系の汚れや破損を防止する。
【００２１】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２２】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２３】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００２４】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００２５】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２６】
システムタイマー５３は各種制御に用いる時間や、内蔵された時計の時間を計測する計時部である。
【００２７】
モード切替スイッチ６０、シャッターボタン６１、操作部７０はシステム制御部５０に各種の動作指示を入力するための操作手段である。
【００２８】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０で、メニューボタンに含まれるこれらのモードのいずれかに直接切り替えられる。あるいは、モード切替スイッチ６０でメニューボタンに一旦切り換えた後に、メニューボタンに含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２９】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３０】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００３１】
コントローラーホイール７３は、操作部７０に含まれる回転操作可能な操作部材であり、方向ボタンと共に選択項目を指示する際などに使用される。コントローラーホイール７３を回転操作すると、操作量に応じて電気的なパルス信号が発生し、このパルス信号に基づいてシステム制御部５０はデジタルカメラ１００の各部を制御する。このパルス信号によって、コントローラーホイール７３が回転操作された角度や、何回転したかなどを判定することができる。なお、コントローラーホイール７３は回転操作が検出できる操作部材であればどのようなものでもよい。例えば、ユーザの回転操作に応じてコントローラーホイール７３自体が回転してパルス信号を発生するダイヤル操作部材であってもよい。また、タッチセンサよりなる操作部材で、コントローラーホイール７３自体は回転せず、コントローラーホイール７３上でのユーザの指の回転動作などを検出するものであってもよい（いわゆる、タッチホイール）。
【００３２】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３３】
電源部３０は、アルカリ電池やリチウム電池等の一次電池やＮｉＣｄ電池やＮｉＭＨ電池、Ｌｉ電池等の二次電池、ＡＣアダプター等からなる。
【００３４】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００３５】
マイク１０４は、動画用の音声として環境音を入力する集音部（取得部）である。
【００３６】
なお操作部７０の一つとして、表示部２８に対する接触を検知可能なタッチパネルを有する。タッチパネルと表示部２８とは一体的に構成することができる。例えば、タッチパネルを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。システム制御部５０はタッチパネルへの以下の操作、あるいは状態を検出できる。
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。
・タッチパネルを指やペンでタッチしている状態であること（以下、タッチオン（Ｔｏｕｃｈ−Ｏｎ）と称する）。
・タッチパネルを指やペンでタッチしたまま移動していること（以下、タッチムーブ（Ｔｏｕｃｈ−Ｍｏｖｅ）と称する）。
・タッチパネルへタッチしていた指やペンを離したこと。すなわち、タッチの終了（以下、タッチアップ（Ｔｏｕｃｈ−Ｕｐ）と称する）。
・タッチパネルに何もタッチしていない状態（以下、タッチオフ（Ｔｏｕｃｈ−Ｏｆｆ）と称する）。
【００３７】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００３８】
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対して指やペンが接近していても触れないこともタッチがあったと検出する方式ものがあるが、いずれの方式でもよい。
【００３９】
［回転部材で設定変更な項目］
上述した回転部材によって設定変更可能な項目は、絞り値（Ａｖ）、シャッタースピード（Ｔｖ）、ＩＳＯ感度（ＩＳＯ）、フォーカス位置（ＭＦ）、露出補正値等がある。ＩＳＯがオート（ＡＵＴＯ）に設定されている場合には、露出補正値の設定変更を受け付けることができる。また、フォーカス設定がオートフォーカス（ＡＦ）に設定されている際にはＭＦの値は設定変更することができない。本実施形態で説明する動画マニュアルモードにおいては、Ａｖ、Ｔｖ、ＩＳＯ、ＭＦ、露出補正値について回転部材での設定値の変更（設定変更）が可能である。また、これらの項目は表示部２８にタッチ可能なように（各項目へのタッチ操作に応じて、前記項目への設定操作を受け付ける）表示されている場合には、タッチパネル７０ａへのタッチ操作によっても変更操作をすることができる。
【００４０】
また、本実施形態では各回転部材で設定変更することができる項目をマニュー画面において設定することができる。動画マニュアルモードにおいては、電子ダイヤル７４を、回転操作に応じてＴｖまたはＡｖの設定値を変更可能なように、操作部材として割当る（設定する）ことができる。同様にコントローラーホイール７３も、回転操作に応じてＴｖまたはＡｖの設定変更可能なように、操作部材として割当る（設定する）ことができる（または、操作部材を各項目に割当てる）。ただし、コントローラーホイール７３と電子ダイヤル７４は排他の関係であり、ＡｖとＴｖはどちらか一方の回転部材で設定変更ができる。スムースリング７５は、Ａｖ、Ｔｖ、ＩＳＯ、無効（割当項目無）の何れかに割当て可能である。例えば、Ａｖ、Ｔｖ、ＩＳＯのそれぞれの値を異なる回転部材で設定変更可能なようにすることも可能であるし、Ａｖは電子ダイヤル７４とスムースリング７５のどちらへの回転操作によっても設定変更可能なようにすることも可能である。ユーザが設定を行っていない初期状態においては、Ａｖの操作部材としてコントローラーホイール、Ｔｖの操作部材として電子ダイヤルが割り当てられている。
【００４１】
このように、メニュー画面において各回転部材で設定変更可能な項目を設定することができるが、撮影の待機中または動画の撮影中には、ユーザによって設定された項目から各回転部材に割当てる項目を一時的に変更することができる。
【００４２】
下キー７６ｂ（ＩＳＯボタン）を押下すると、ＩＳＯを変更するための操作部材として電子ダイヤルの割当と解除を切り替えることができる。これをＩＳＯモードのオン、オフという。ＩＳＯに電子ダイヤルを割り当てる操作を行う前に、Ｔｖ（またはＡｖ）に電子ダイヤルが割り当てられていた場合には、ＩＳＯモードがオンになると電子ダイヤル７４への操作に応じてＴｖ（またはＡｖ）の設定操作を行うことができなくなる。ただし、ＩＳＯへの電子ダイヤルの割当が解除されると（ＩＳＯモードがオフになると）再び電子ダイヤル７４への操作に応じてＩＳＯの設定変更可能になる。
【００４３】
ＭＦボタン７７を押下すると、ＭＦとＡＦとのフォーカス設定を切り替えることができ、ＭＦ（ＭＦモード）に切り替えられた場合には、同時にＭＦの設定を行う操作部材としてスムースリング７５が割当てられる。動画撮影を行っていない待機中の場合には、ＭＦボタン７７の押下によってＭＦとＡＦの切替が可能であるが、動画の撮影中にはさらにタッチ操作においても可能である。また、動画の撮影中にＭＦが設定されている、または設定された場合には、表示部２８にバーが表示され、スムースリング７５への回転操作に加えてタッチ操作によってもフォーカス位置の変更を行うことができる。ＩＳＯボタンの割当と同様に、ＭＦへの切替え前に他の項目の操作部材としてスムースリングが割当たっていた場合には、スムースリング７５への回転操作で割り当てられていた項目の設定変更ができなくなり、ＡＦに切替えられると再び設定変更できるようになる。このとき、スムースリングが割当たっていた項目にさらに、電子ダイヤルまたはコントローラーホイールの他の回転部材が割り当てられていた場合には、その項目は他の回転部材により設定変更することができる。
【００４４】
図３に示す本実施形態における動画モードの操作部材の表示フローについて図４、図５の各表示例を用いて説明する。
【００４５】
このフローはデジタルカメラ１００に電源が入り、撮影モードになったことに応じて開始される。
【００４６】
この処理は、不揮発性メモリ５６に記録されたプログラムをシステムメモリ５２に展開してシステム制御部５０が実行することで実現する。
【００４７】
Ｓ３０１では、システム制御部５０は、設定中の撮影モードが動画マニュアルモードか否かを判定する。動画マニュアルモードであると判定した場合には、Ｓ３０４へ進み、そうでない場合は、Ｓ３０２へ進む。
【００４８】
Ｓ３０２では、システム制御部５０は、モード切替がされたか否かを判定する。モード切替がされたと判定した場合にはＳ３０１へ戻り、そうでない場合には、Ｓ３０３へ進む。
【００４９】
Ｓ３０３では、システム制御部５０は、Ｓ３０２において切り替えられたモードにおける表示を行う。撮影モードに応じて設定変更することのできる項目は異なり、各項目の設定変更を行う操作部材は撮影モード毎に設定することができる。また、各操作部材を示す表示アイコンの表示方法も異なる。本実施形態では動画マニュアルモードの場合について説明をし、他の撮影モードについては割愛する。
【００５０】
Ｓ３０４では、システム制御部５０は、撮像部２２により得られるライブビュー画像（スルー画像）を表示する。図４は撮影待機中の表示部２８の表示例を示したものである。図４（ａ）は、Ｔｖに電子ダイヤル、Ａｖにコントローラーホイールが割り当てられている場合、（ｂ）は、Ａｖに電子ダイヤル、Ｔｖにコントローラーホイール、ＩＳＯにスムースリングが割り当てられている場合の表示例を示している。図４（ｃ）は、図４（ａ）のＴｖに電子ダイヤル、Ａｖにコントローラーホイールが割り当てられている状態においてＭＦモードに設定された場合の表示例を示している。図４に示すように表示部２８にライブビュー画像４０１を表示する。図４（ｄ）はＩＳＯモードオンとオフの場合の表示例を示したものである。なお、各操作部材アイコンは後述のＳ３０５〜Ｓ３０９の処理で表示されるものである。
【００５１】
Ｓ３０５では、システム制御部５０は、不揮発性メモリ５６から動画マニュアルモードにおける割当機能を読み込む。図６は各回転部材と、回転部材を示す表示アイコン、各表示アイコンの表示の優先度を示しており、さらに、各回転部材に割当てられる項目の例を示した表である。上から電子ダイヤル（ダイヤル）、コントローラーホイール（ホイール）、スムースリング（リング）の表示アイコンが示されている。図６（ａ）の各表の左部分には、動画の撮影中と待機中それぞれにおける各表示アイコンの表示優先度を示している。１つの項目（同一の項目）に対して複数の操作部材が割り当てられている場合には、表示優先度の高い操作部材の表示アイコンが、該項目の操作部材として表示される。ただし、表示されている操作部材のみでしか項目の設定変更ができないわけではなく、表示されていない操作部材であっても項目に割り当てられている操作部材であれば設定変更可能である。図６（ａ）−１は、ユーザが電子ダイヤルにＡｖ、コントローラーホイールにＴｖ、スムースリングにＩＳＯを割当てた場合を示している。図６（ａ）−２は、ユーザがＡｖに電子ダイヤル、Ｔｖにコントローラーホイール、Ａｖにスムースリングを割当てた場合を示している。図６（ａ）−３は、ユーザが電子ダイヤルにＡｖ、コントローラーホイールにＴｖを割当、スムースリングを（どの項目も割当てずに）無効にした場合を示している。さらに、各図の右側には、ユーザが割当てた状態からＩＳＯモードがオンされた場合、ＭＦモードに切り替えられた場合、さらにＭＦモードからＩＳＯモードがオンされた場合の回転部材に割当たる項目を示している。図６（ａ）の表は一例を示したものであり、ユーザが各項目に割り当てた回転部材が図６（ａ）のものと異なる場合には、それぞれのモードにおける割当も異なる。
【００５２】
ユーザがメニュー画面において設定した回転部材の割当は不揮発性メモリ５６に記録されＳ３０５において読み込みされる。このときＭＦモードに切り替えられている場合には、ユーザの設定した割当とは異なりＭＦモードでの割当になる。ＭＦモードの割当は上述した通りである。
【００５３】
Ｓ３０６では、システム制御部５０は、Ｓ３０５において読み込んだ項目のうち、スムースリング７５に割り当たっている項目（スムースリング７５への操作に応じて設定変更可能なように設定されている項目）があるか否かを判定する。スムースリング７５に割り当たっている項目があると判定した場合は、Ｓ３０７へ進み、そうでない場合は、Ｓ３０９へ進む。
【００５４】
Ｓ３０７では、システム制御部５０は、スムースリング７５に割り当たっている項目が電子ダイヤル７４またはコントローラーホイール７３にも割当たっているか否かを判定する。電子ダイヤル７４またはコントローラーホイール７３にも割当たっていると判定した場合には、Ｓ３０９へ進み、そうでない場合は、Ｓ３０８へ進む。
【００５５】
Ｓ３０８では、システム制御部５０は、Ｓ３０７においてスムースリング７５の他に電子ダイヤル７４にコントローラーホイールが割り当てられていないと判定された項目に、スムースリングアイコンを表示する。
【００５６】
ＩＳＯにのみスムースリング７５が割当たっている場合には、図４（ｂ）のようにＩＳＯ項目４０５にスムースリングアイコン４０９を表示する。
【００５７】
Ｓ３０９では、システム制御部５０は、コントローラーホイール７３及び電子ダイヤル７４に割り当たっている項目に、それぞれコントローラーホイールアイコンと電子ダイヤルアイコンを表示する。このように、動画の撮影前（後）の待機中には、スムースリングの表示優先度は最も低いので、スムースリング７５のみが割り当てられていない限りスムースリングアイコンは項目に表示されない。一方で、電子ダイヤル、コントローラーホイールの表示優先度はスムースリングよりも高いため、スムースリング７５が割り当てられていても電子ダイヤルアイコンまたはコントローラーホイールアイコンが表示される。仮に、スムースリングにＡｖが割当たっている場合に、コントローラーホイールにもＡｖが割当たっている場合には、図４（ａ）に示すようにＡｖ項目４０３にはコントローラーホイールアイコン４０７が表示される。
【００５８】
このように待機中には、操作感のある部材、操作に応じて音のする部材の方がユーザは設定変更操作を行っていることが分かりやすくなるため、電子ダイヤルアイコンやコントローラーホイールアイコンの表示を優先する。また、電子ダイヤル７４とコントローラーホイール７３は片手でデジタルカメラ１００を持った状態で操作できるので、利便性が高い。
【００５９】
Ｓ３１０では、システム制御部５０は、ＩＳＯの設定がオートか否かを判定する。オートであると判定した場合には、Ｓ３１１へ進み、そうでない場合は、Ｓ３１２へ進む。
【００６０】
Ｓ３１１では、システム制御部５０は、露出補正の項目に表示されているメモリに設定中の露出補正値を示す指標アイコンを表示する。図４（ａ）に示すように、ＩＳＯの設定がオートの場合には、露出補正項目４０４には指標アイコン４０８が表示される。
【００６１】
Ｓ３１２では、システム制御部５０は、ＭＦボタン７７が押下されたか否かを判定する。ＭＦボタン７７が押下されたと判定した場合には、Ｓ３１３へ進み、そうでない場合は、Ｓ３１４へ進む。
【００６２】
Ｓ３１３では、システム制御部５０は、スムースリング７５にＭＦを割当るのと、割当を解除するのとを切り替える。すなわち、スムースリング７５にＭＦが割当たっていた場合は割当てを解除し、割当たっていなかった場合はＭＦを割当てる。また、ＭＦを割当てる場合にはスムースリングアイコン（リングアイコン）をＭＦ項目に表示し、ＭＦの割当てを解除する場合にはリングアイコンを非表示にする。図４（ｃ）のＭＦ項目４１０を表示し、さらにＭＦ項目４１０にスムースリングアイコン４０９を表示する。
【００６３】
Ｓ３１４では、システム制御部５０は、下キー７６ｂ（ＩＳＯボタン）が押下されたか否かを判定する。ＩＳＯボタンが押下されたと判定した場合は、Ｓ３１５へ進み、そうでない場合は、Ｓ３１６へ進む。
【００６４】
Ｓ３１５では、システム制御部５０は、ＩＳＯモードがオンだった場合はオフに、オフだった場合はオンに切り替える。また、オンにした場合は各項目にはＩＳＯモードがオンの場合の操作部材アイコンの表示に切り替える。図４（ｄ）−１は、ＩＳＯモードオンの場合の表示例、（ｄ）−２はＩＳＯモードオフの場合の表示例である。ＩＳＯモードがオンとオフの場合の表示の一例を示すためのものであり、ユーザの設定した割当てやフォーカス設定に応じて各表示は異なる。図４（ｄ）は、電子ダイヤルにＡｖ、コントローラーホイールにＴｖ、スムースリングにＩＳＯが割り当てられた場合を示しており、ＩＳＯモードがオンになった場合には電子ダイヤルとスムースリングにＩＳＯが割当てられる。ただし、待機中であるので、図４（ｄ）−１に示すようにＩＳＯ項目４０５には、スムースリングアイコン４０９ではなく、電子ダイヤルアイコン４０６が表示される。また、ＩＳＯモードオフの場合には、図４（ｄ）−２に示すようにＩＳＯに割当たる操作部材がスムースリングのみになるので、ＩＳＯ項目４０５にはスムースリングアイコン４０９が表示される。
【００６５】
Ｓ３１６では、システム制御部５０は、撮影モードが終了したか否かを判定する。撮影モードが終了したと判定した場合は、撮影モードを終了し、そうでない場合は、Ｓ３１７へ進む。撮影モードの終了は、再生モードへの切替やメニュー画面への切替、デジタルカメラ１００の電源をオフにすること等により撮影モードではない状態になることである。
【００６６】
Ｓ３１７では、システム制御部５０は、シャッターボタン６１への押下により動画の撮影が開始されたか否かを判定する。撮影が開始されたと判定した場合は、Ｓ３１８へ進み、そうでない場合は、Ｓ３０９へ戻る。Ｓ３０９〜Ｓ３１７を繰り返すことにより、ＩＳＯモードのオン、オフやフォーカスの設定を行い、それぞれの設定に応じた撮影待機中の各項目への操作部材アイコンの表示がされる。
【００６７】
Ｓ３１８では、システム制御部５０は、撮影処理を行う。撮影処理は撮像部２２により得られた画像を動画として記録媒体に記録していく処理である。図５は動画の撮影中の表示部２８の表示例を示したものであり、図５（ａ）はフォーカス設定がＡＦの場合、（ｂ）はＭＦの場合を示している。撮影中の画像は表示部２８に撮影中画像５０１のように表示される。
【００６８】
Ｓ３１９では、システム制御部５０は、ＡＦまたはＭＦのフォーカス設定をタッチ操作によって切り替えることのできるタッチアイコンを表示部２８に表示する。待機中にはフォーカス設定はＭＦボタン７７への押下によって切替えることができるが、動画の撮影中にはタッチにおいてもフォーカス設定の切り替えを受付可能になる。図５（ａ）のＡＦ項目５０２（ＡＦアイコン）はタッチ操作が行われたことに応じてＭＦモードへ切り換えるタッチアイコンである。また、図５（ｂ）−１に示すＭＦアイコン５０３はＭＦモードであることを示している。ＭＦモードにおいては動画の撮影中にバーアイコン５０４へのタッチ操作に応じてフォーカス位置の設定変更を行うことができる。
【００６９】
Ｓ３２０では、システム制御部５０は、Ｓ３０５と同様に割当て項目を読み込む。
【００７０】
Ｓ３２１では、システム制御部５０は、Ｓ３２０において読み込んだ項目のうち、スムースリング７５に割り当たっている項目（スムースリング７５への操作に応じて設定変更可能なように設定されている項目）があるか否かを判定する。スムースリング７５に割り当たっている項目があると判定した場合は、Ｓ３２２へ進み、そうでない場合は、Ｓ３２６へ進む。
【００７１】
Ｓ３２２では、システム制御部５０は、フォーカス設定がＭＦに設定されているか否かを判定する。ＭＦに設定されていると判定した場合は、Ｓ３２３へ進み、そうでない場合は、Ｓ３２４へ進む。
【００７２】
Ｓ３２３では、ＭＦゲージを表示し、ＭＦ項目にスムースリングアイコンを表示する。図５（ｂ）のように、ＭＦ項目５０３にスムースリングアイコン４０９を表示する。
【００７３】
Ｓ３２４では、システム制御部５０は、Ｓ３２１において判定したスムースリング７５に割り当たっている項目が電子ダイヤルまたはコントローラーホイールにも割当たっているか否かを判定する。電子ダイヤルまたはコントローラーホイールにも割当たっていると判定した場合には、Ｓ３２５へ進み、そうでない場合は、Ｓ３２６へ進む。
【００７４】
Ｓ３２５では、システム制御部５０は、スムースリング７５に割当たっている項目に表示していた電子ダイヤルアイコンまたはコントローラーホイールアイコンを非表示にしてスムースリングアイコンを表示する。動画の撮影中には、静音部材であるスムースリング７５を操作した方が、操作音の録音される可能性が低い、または録音される操作音が小さくなるので、スムースリングアイコンの表示優先度を上げる。また、電子ダイヤルアイコンまたはコントローラーホイールアイコンに替えて、スムースリングアイコンを表示することで、ユーザがスムースリング７５を操作するように促す表示をする。
【００７５】
Ｓ３２６では、システム制御部５０は、ＭＦボタン７７が押下されたか、Ｓ３１９において表示したＡＦ項目５０２またはＭＦ項目５０３（タッチアイコン）へのタッチ操作があったか否かを判定する。ＭＦボタン７７が押下された、またはタッチアイコン５０２または５０３がタッチされたと判定した場合には、Ｓ３２７へ進み、そうでない場合は、Ｓ３２８へ進む。
【００７６】
Ｓ３２７では、システム制御部５０は、スムースリング７５にＭＦを割当るのと、割当を解除するのとを切り替える。また、ＭＦを割当てる場合にはスムースリングアイコン（リングアイコン）をＭＦ項目に表示し、ＭＦの割当てを解除する場合にはリングアイコンを非表示にする。ＭＦに切り替えられた場合には、図５（ｂ）のＭＦ項目５０３を表示し、バーアイコン５０４を表示する。ＡＦに切り替えられた場合には図５（ａ）のＡＦ項目５０２を表示する。
【００７７】
Ｓ３２８〜Ｓ３２９は、Ｓ３１４〜Ｓ３１５と同様の処理であるが、動画撮影中であるので、図６に示す通り、操作部材アイコンの表示優先度が異なる。
【００７８】
Ｓ３３０では、システム制御部５０は、下キー７６ｂ（ＡＦ／Ｄｒｉｖｅ）ボタンが押下されたか否かを判定する。下キー７６ｂが押下されたと判定された場合は、Ｓ３３１へ進み、そうでない場合は、Ｓ３３２へ進む。
【００７９】
Ｓ３３１では、システム制御部５０は、スムースリング７５の割当てを切り替える。下キー７６ｂの押下に応じて、スムースリングに図６（ｂ）に示すようにＴｖ、Ａｖ，露出補正、ＩＳＯ、ＭＦ、無効の何れかの項目を割当てる。スムースリングに割当て可能な項目は、フォーカス設定とＩＳＯ設定の設定内容に応じて異なる。図６（ｂ）はスムースリング割当て切替えを行った場合に、割当てられる項目の順番を示したものであり、（ｂ）−１はＡＦの場合、（ｂ）−２はＭＦの場合を示している。フォーカス設定がＡＦの場合には、Ｔｖ、Ａｖ，露出補正、ＩＳＯ、無効に割当て可能であり、ＭＦの場合には、Ｔｖ、Ａｖ，露出補正、ＩＳＯ、ＭＦ、無効の何れかの項目に割当て可能である。ただし、ＩＳＯがオートではない場合には露出補正に割当てることはできない。図６（ｂ）に示すように、スムースリングを順々に各項目すると１つの項目にスムースリングと電子ダイヤルまたはコントローラーホイールも割当てられることがあるが、動画の撮影中なので、スムースリングアイコンが割り当てられた項目に表示される。
【００８０】
Ｓ３３２では、システム制御部５０は、シャッターボタン６１への押下により撮影が終了されたか否かを判定する。終了したと判定した場合は、Ｓ３３３へ進み、そうでない場合は、Ｓ３０９へ戻る。
【００８１】
Ｓ３３３では、システム制御部５０は、終了処理を行う。終了処理は、撮影した動画の圧縮処理、サムネイルの作成等を行い、撮影日時と共に記録することである。
【００８２】
以上、説明した実施形態によれば、ユーザの動画の撮影中か待機中かにおいてそれぞれ適した操作部材で撮影を行いやすくなる。また、動画の撮影中には、静音部材であるスムースリング７５で設定変更可能な項目を順に割当てることができるので、操作音が録音されにくくなる。待機中には、ユーザがシャッターボタン６１を押下する手（片手で）容易に操作ができる位置にある操作部材（電子ダイヤルやコントローラーホイール）で操作が行えると、操作性が向上する。また、静音部材ではない操作に応じて音がする部材や、操作感のある部材で操作を行うと、設定操作を行う際には設定していることが分かりやすくなってよい。
【００８３】
なお、本実施形態では動画の撮影中（撮影及び記録）であるか、待機中であるかに応じてアイコンの表示優先度を変えることを説明したが、画像の撮影を伴わないボイスレコーダーのような音声記録でもよい。つまり、音声記録中であれば静音部材を示すアイコンの表示優先度を高くし、音声記録待機中であれば静音部材の表示優先度を低くし、静音部材よりも操作感のある操作部材を示すアイコンの表示優先度を高くするようにしてもよい。
【００８４】
また、ある項目に対して静音部材とそうでない部材との２個以上の操作部材が割り当てられている場合において、動画の待機中には２個以上の操作部材を示すアイコンを表示し、動画撮影中には静音部材だけを表示するようにしてもよい。
【００８５】
また、各操作部材を示すアイコンは、その機能（その項目の設定値の変更機能）を実行するための操作部材を示すガイドである。例えば、スムースリングアイコンがＩＳＯ項目に表示されている場合には、スムースリング７５はＩＳＯの設定値の変更機能を実行する操作部材であることを示している。
【００８６】
また、本実施形態では、動画の撮影中に音声が録音されてしまう可能性を低減させるために、ユーザに静音部材の使用を促すために静音部材の表示優先度を上げることを説明したが、音でなくてもブレ等が記録される可能性を低減させるためであってもよい。つまり、電子ダイヤル等の回転操作に応じて、振動が起こってしまうような部材であれば撮影中の動画にブレが記録される可能性がある。よって、動画の撮影中には電子ダイヤルではなくスムースリング７５等の操作に応じて振動を与えにくいような操作部材をユーザに薦めるために、静音部材（操作感の小さい部材）を表示するようにしてもよい。
【００８７】
なお、表示制御装置の制御は１つのハードウェアが行ってもよいし、複数のハードウェアが処理を分担することで、装置全体の制御を行ってもよい。
【００８８】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８９】
また、上述した実施形態においては、本発明を表示制御装置に適用した場合を例にして説明したが、これはこの例に限定されず操作部材において設定変更を行う項目（機能）の表示を制御するような表示制御装置であれば適用可能である。すなわち、本発明は携帯電話端末や携帯型の画像ビューワ、ファインダーを備えるプリンタ装置、デジタルフォトフレーム、音楽プレーヤー、ゲーム機、電子ブックリーダー、録音機器などに適用可能である。
【００９０】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
0006436764.tif 000002
【図２】
0006436764.tif 000003
【図３】
0006436764.tif 000004
【図４】
0006436764.tif 000005
【図５】
0006436764.tif 000006
【図６】
0006436764.tif 000007